(57)【要約】【課題】広告等のような電柱に設置される表示媒体と外灯とを共に昇降させることができ、しかも、広告等の表示媒体の入れ替え作業を手軽にできるようにする。【解決手段】提供情報が描かれた表示媒体３１をロール状に巻回保持する媒体保持部３２を電柱１１に取り付けられた基部１０２に保持させ、媒体保持部３２から引き出した表示媒体３１を外灯１０３付きの昇降体１０４に保持させ、受動部にハンドル５１を差し込んで回す。すると、受動部に生じた回転運動が昇降体１０４の昇降運動に変換されて伝達されることで昇降体１０４が上昇し、表示媒体３１に描かれた提供情報が媒体保持部３２と昇降体１０４との間に出現する。【選択図】図１
2011081095.tif 000002
【特許請求の範囲】
【請求項１】
電柱に取り付けられる基部と、
前記基部に設けられて外灯を有する昇降体を昇降自在に支持する昇降機構と、
前記基部に設けられて駆動力を受ける受動部の回転運動を前記昇降体の昇降運動に変換する動力変換機構と、
提供情報が描かれた表示媒体をロール状に巻回保持する媒体保持部を前記昇降体の下方位置で前記基部に着脱自在に保持させ、前記媒体保持部から引き出し可能な前記表示媒体を前記昇降体に着脱自在に保持させる媒体装着機構と、
を備える情報提供装置。
【請求項２】
前記受動部は、鍵付きハンドルが有する鍵部と連結する錠部を有している、請求項１記載の情報提供装置。
【請求項３】
引き出された前記表示媒体をゼンマイの力を利用して巻き戻す巻戻し機構を有する前記媒体保持部を更に備える、請求項１又は２記載の情報提供装置。
【請求項４】
前記外灯は、ＬＥＤ照明装置である、請求項１ないし３のいずれか一記載の情報提供装置。
【請求項５】
前記昇降体に保持されて当該昇降体の上昇に伴い前記基体に保持された前記媒体保持部から引き出された前記表示媒体を挟持して覆う保護位置と、前記昇降体の昇降軌跡に干渉しない退避位置との間に移動自在に設けられた透光性を有する一対の保護パネルを更に備える、請求項１ないし４のいずれか一記載の情報提供装置。
【請求項６】
アクチュエータの駆動力によって前記昇降体に保持された表示媒体の巻き取り及び巻き戻しを行なう巻回機構と、
メモリに登録されている前記表示媒体の長手方向に沿って配列された前記提供情報を含む複数の提供情報領域と提供期間との間の対応関係定義に従い前記アクチュエータを駆動制御し、現在の提供期間に対応する前記提供情報領域を前記媒体保持部と前記昇降体との間に位置付ける制御部と、
を更に備える請求項３記載の情報提供装置。
【請求項７】
電柱に取り付けられた基部に、提供情報が描かれた表示媒体をロール状に巻回保持する媒体保持部を保持させる工程と、
前記基部に昇降自在に設けられて外灯を有する昇降体に、前記媒体保持部から引き出した前記表示媒体を保持させる工程と、
前記基部に設けられて駆動力を受ける受動部に生じた回転運動を前記昇降体の昇降運動に変換して伝達することで前記昇降体を昇降させ、前記表示媒体に描かれた前記提供情報を前記媒体保持部と前記昇降体との間に位置付ける工程と、
を備える情報提供方法。
【発明の詳細な説明】
【技術分野】
【０００１】
本発明は、電柱を利用して広告や地域情報等の各種の情報を提供する情報提供装置及び情報提供方法に関する。
【背景技術】
【０００２】
電柱に広告看板を取り付け、電柱を広告塔として利用することが従来から行なわれている。このような広告看板は、一般的には電柱に対して固定的に取り付けられるため、その設置作業及び撤去作業を手軽に行なうことができない。このため、一度設置された広告看板は、ある程度長期に渡り設置され続けることになる。
【０００３】
これに対して、特許文献１には、高所に設置する大型看板を昇降自在とし、手動によって看板の上げ下げを行なうことができるようにした技術が開示されている。このような技術を利用すれば、電柱に設置する広告看板のメンテナンスや広告の入れ替え作業を容易に行なうことができることであろう。
【０００４】
また、特許文献２には、広告看板のみならず、電柱に設置されている外灯についても昇降自在とし、これを手動で上げ下げできるようにした技術が開示されている。外灯を下降させれば、そのメンテナンスが容易である。
【先行技術文献】
【特許文献】
【０００５】
【特許文献１】実開平７−１６９７３号公報
【特許文献２】特開２００６−１９６４４２公報
【特許文献３】特開２００８−７６５７７公報
【発明の概要】
【発明が解決しようとする課題】
【０００６】
電柱では、一般的に、外灯の下方に広告看板を設置する（特許文献３参照）。このため、特許文献１が開示する看板の昇降構造と特許文献２が開示する外灯の昇降構造とを共に実現させようとすると、昇降する外灯に広告看板が干渉してしまうという矛盾が発生する。したがって、広告看板の昇降と外灯の昇降とを共に望む場合、特許文献１に記載されている技術と特許文献２に記載されている技術とを単純に組み合わせてもその望みが叶えられない。
【０００７】
また、特許文献１に記載されている広告看板の昇降機構にしても、特許文献２に記載されている広告看板及び外灯の昇降機構にしても、比較的大掛かりな構造物となっている。このため、とりわけ広告看板における広告の入れ替え作業については、固定看板と比較すれば容易であるものの、手放しで手軽であるという評価を下すことはできない。
【０００８】
本発明は、このような点に鑑みなされたもので、広告等のような電柱に設置される表示媒体と外灯とを共に昇降可能とし、しかも、表示媒体の入れ替え作業を手軽にできるようにすることを目的とする。
【課題を解決するための手段】
【０００９】
本発明の一態様は、電柱に取り付けられる基部と、前記基部に設けられて外灯を有する昇降体を昇降自在に支持する昇降機構と、前記基部に設けられて駆動力を受ける受動部の回転運動を前記昇降体の昇降運動に変換する動力変換機構と、提供情報が描かれた表示媒体をロール状に巻回保持する媒体保持部を前記昇降体の下方位置で前記基部に着脱自在に保持させ、前記媒体保持部から引き出し可能な前記表示媒体を前記昇降体に着脱自在に保持させる媒体装着機構と、を備える情報提供装置によって上記課題を解決する。
【００１０】
本発明の別の一態様は、電柱に取り付けられる基部に、提供情報が描かれた表示媒体をロール状に巻回保持する媒体保持部を保持させる工程と、前記基部に昇降自在に設けられて外灯を有する昇降体に、前記媒体保持部から引き出した前記表示媒体を保持させる工程と、前記基部に設けられて駆動力を受ける受動部に生じた回転運動を前記昇降体の昇降運動に変換して伝達することで前記昇降体を昇降させ、前記表示媒体に描かれた前記提供情報を前記媒体保持部と前記昇降体との間に位置付ける工程と、を備える情報提供方法によって上記課題を解決する。
【発明の効果】
【００１１】
本発明によれば、昇降体の昇降に応じて表示媒体の設置及び撤去と外灯の昇降とが可能となり、したがって、表示媒体と外灯とを共に昇降させることができ、しかも、表示媒体を手軽に入れ替えることができる。
【図面の簡単な説明】
【００１２】
【図１】第１の実施の形態として、情報提供装置の外観を示す側面図である。
【図２】情報提供装置の外観を示す正面図である。
【図３】使用の一態様を示す情報提供装置の側面図である。
【図４】（ａ）は表示媒体が収納されている状態、（ｂ）は表示媒体が少し引き出された状態をそれぞれ示す媒体保持部の斜視図である。
【図５】昇降体を昇降駆動するための鍵付きハンドルを示す斜視図である。
【図６】情報提供装置の縦断側面図である。
【図７】情報提供装置の横断平面図である。
【図８】昇降機構の分解斜視図である。
【図９】昇降体及び昇降機構の縦断側面図である。
【図１０】昇降体において表示媒体を保持する媒体保持筒と昇降体のフロントパネルの裏面側との分解斜視図である。
【図１１】第２の実施の形態として、一対の保護パネルが保護位置に位置する状態での情報提供装置の外観を示す斜視図である。
【図１２】一対の保護パネルが退避位置に位置する状態での情報提供装置の外観を示す斜視図である。
【図１３】一対の保護パネルが保護位置に位置して表示媒体を挟持し覆っている状態での情報提供装置の外観を示す斜視図である。
【図１４】第３の実施の形態として、情報提供装置の外観を示す斜視図である。
【図１５】昇降体及び昇降機構の縦断側面図である。
【図１６】各部の電気的接続を示すブロック図である。
【図１７】操作パネルをそのＬＣＤの初期表示例と共に示す正面図である。
【図１８】表示媒体を全て引き出した状態の一例を示す媒体保持部及び表示媒体の正面図である。
【図１９】メモリに登録されている対応関係定義とこの対応関係定義に従い提供される提供情報との対応関係を例示する模式図である。
【図２０】制御部が実行する表示媒体設定処理の流れを示すフローチャートである。
【図２１】制御部が実行する表示媒体設置変更処理の流れを示すフローチャートである。
【図２２】制御部が実行する運用開始処理の流れを示すフローチャートである。
【発明を実施するための形態】
【００１３】
（第１の実施の形態）
第１の実施の形態を図１ないし図１０に基づいて説明する。
【００１４】
図１は、情報提供装置１０１の外観を示す側面図、図２は、情報提供装置１０１の外観を示す正面図である。本実施の形態の情報提供装置１０１は、電柱１１に対して、金属ベルト１２とサポート１３とによって取り付けられている。情報提供装置１０１は、矩形筐体状の基部１０２に一対の外灯１０３を有する昇降体１０４を昇降自在に設け、昇降体１０４の昇降動作に応じて広告や地域情報の提供に用いられる表示媒体３１を設置できるようにしている。つまり、情報提供装置１０１において、昇降体１０４はハンドル５１の回転操作によって上げ下げ可能である。そこで、表示媒体３１を巻き物のようにして保持する媒体保持部３２を基部１０２の正面下方から飛び出す設置棒１０５にセットし、昇降体１０４には表示媒体３１の端部に設けられたバー３３をセットする。この状態で、基部１０２の側部に設けた錠部１０６にハンドル５１の鍵部５２（図５参照）を差し込み、ハンドル５１を回転操作する。すると、昇降体１０４が上昇し、媒体保持部３２から表示媒体３１が引き出されて出現する。
【００１５】
情報提供装置１０１は、その錠部１０６の位置が地表面から２ｍ程度の高さの位置に設置される。そこで、設置棒１０５に対して媒体保持部３２を着脱したり錠部１０６に取り付けたハンドル５１を回転させたりするに際して、作業者は、脚立等に乗って作業を行なうことになる。
【００１６】
図３は、使用の一態様を示す情報提供装置１０１の側面図である。図３に一例を示すように、表示媒体３１には広告や地域情報等の提供情報Ｉが描かれている。そこで、情報提供装置１０１は、昇降体１０４と媒体保持部３２との間に表示媒体３１を出現させることで、提供情報Ｉを表示して広告宣伝機能、情報提供機能を果たすことができる。しかも、外灯１０３が点灯すると、提供情報Ｉは自ずと外灯１０３に照らされ、その視認性が高まるばかりか、照明による提供情報Ｉの演出効果も得られる。
【００１７】
以下、情報提供装置１０１の詳細を説明する。
【００１８】
図４（ａ）は表示媒体３１が収納されている状態、図４（ｂ）は表示媒体３１が少し引き出された状態をそれぞれ示す媒体保持部３２の斜視図である。表示媒体３１は、筒状の媒体保持部３２の内部で中空であって回転自在の中心軸（図示せず）に巻き込まれた状態で保持されており、その端部に設けられたバー３３を持って引き出すことで引き出し可能となっている（図４（ｂ）参照）。媒体保持部３２は、引き出した表示媒体３１をゼンマイ（図示せず）の力で巻き戻すことができる。そのための構造として、媒体保持部３２は、その一端側にゼンマイを巻き戻し動力源とする巻戻し機構（図示せず）を内蔵する巻戻し部３４を有している。巻戻し部３４の内部では、表示媒体３１が引き出されるにつれてゼンマイが巻かれていき、巻かれたゼンマイは初期状態への復元力を蓄える。これにより、引き出した表示媒体３１をフリーな状態にすると、巻かれたゼンマイの復元力によって表示媒体３１が巻き戻されて媒体保持部３２に収納される。このような媒体保持部３２は、巻戻し部３４と反対側の端部にセット部３５を有している。セット部３５は、表示媒体３１を保持する前述の中心軸の中空部分に連通するセット孔３６を有し、その周囲に一対のフック溝３７を有している。フック溝３７は、セット孔３６の軸を中心とする円周上に位置する溝であり、それらの一端は溝よりも径が大きな大径部３７ａとなっている。
【００１９】
図１及び図２に示すように、情報提供装置１０１の基部１０２は、その正面下方に、媒体保持部３２をセットして保持できるようにした棒状の設置棒１０５を突出させている。設置棒１０５は、媒体保持部３２のセット孔３６に嵌合する径に形成され、媒体保持部３２の内部でその中心軸（図示せず）の中空部分にも嵌合する。図１中、設置棒１０５の上下に示されているのは、設置棒１０５にセットされた媒体保持部３２を抜け止めするためのフックピン１０７である。これらのフックピン１０７は、設置棒１０５に媒体保持部３２がセットされると、媒体保持部３２のセット部３５に形成されている一対のフック溝３７に嵌合する位置に形成されている。そして、フックピン１０７は、その頭部が大径となっている。この大径の頭部は、フック溝３７の大径部３７ａには挿通して溝部には挿通しない径に定められている。そこで、設置棒１０５に対する媒体保持部３２のセット作業時、フック溝３７の大径部３７ａをフックピン１０７に位置合わせして媒体保持部３２を押し込み右回転させると、媒体保持部３２は設置棒１０５に確実に保持される。
【００２０】
図２に示すように、情報提供装置１０１の基部１０２は、その中央部に縦長の長孔１０８を有しており、この長孔１０８に沿って昇降体１０４を移動させる。長孔１０８は、設置棒１０５を通る鉛直線上に形成されている。また、昇降体１０４において、一対の外灯１０３は長孔１０８を間にして左右に配置されている。これらの外灯１０３としては、一例として、ＬＥＤ照明装置が用いられている。
【００２１】
図５は、昇降体１０４を昇降駆動するための鍵付きのハンドル５１を示す斜視図である。ハンドル５１は、ハンドルアーム５３の一端側に把持部５４を突出させ、ハンドルアーム５３の他端側に鍵部５２を突出させて設けている。ハンドルアーム５３の面のうち、鍵部５２の突出面と把持部５４の突出面とは互いに反対側となっている。鍵部５２は、情報提供装置１０１の側に設けられた錠部１０６に差し込むことができる鍵である。したがって、錠部１０６及び鍵部５２は、用意に真似されない形状に形成されていることが望ましい。また、図１及び図３は、情報提供装置１０１の左側面を示しているために右側面は示されないが、錠部１０６は、基部１０２の左側面のみならず、両側面に形成されていても良い。これにより、右利き及び左利きのいずれの利き腕の作業者にも使い勝手が良いものとなる。
【００２２】
図６は、情報提供装置１０１の縦断側面図、図７は、情報提供装置１０１の横断平面図である。昇降体１０４は、長孔１０８が形成された基部１０２の基部フロントパネル１０９に三対のローラ対１１０によって三点支持される昇降機構１１１を一体的に有している（図８も参照のこと）。この昇降機構１１１については、図８に基づいて後述する。ハンドル５１の回転操作に基づいて昇降機構１１１に昇降動作を与えているのは、巻き掛け伝動機構である動力変換機構１１２である。つまり、基部１０２は、その内部上下位置に一対のプーリ１１３を設けている。これらのプーリ１１３は、基部１０２に回転自在に取り付けられて互いに水平配置された一対の支軸１１４に固定され、支軸１１４の回転と共に回転自在である。これらのプーリ１１３には、ワイヤＷが掛け渡されており、これによって巻き掛け伝動機構が構成されている。そこで、昇降機構１１１に設けた連結体１１５をワイヤＷに連結固定することで（図９も参照のこと）、一対のプーリ１１３の回転運動を昇降体１０４の昇降運動に変換して伝達することが可能となる。本実施の形態においては、下方に位置する下部支軸１１４ａに、基部１０２の側面に設けられた鍵部５２を連結している。これにより、下部支軸１１４ａが駆動力を受ける受動部となり、ハンドル５１の回転操作によって生ずる回転駆動力に従い下部支軸１１４ａが回転する。動力変換機構１１２は、受動部である下部支軸１１４ａの回転運動を上方に位置する支軸１１４と共にワイヤＷに伝達してワイヤＷを回転させ、これによって昇降体１０４を昇降させる。つまり、受動部である下部支軸１１４ａの回転運動を昇降体１０４の昇降運動に変換するわけである。
【００２３】
図８は、昇降機構１１１の分解斜視図である。昇降機構１１１は、主フレーム１１６に三対のローラ対１１０が固定されて形成されている。ローラ対１１０のうち、二対は基部１０２の基部フロントパネル１０９の外部側に配置され、一対は基部フロントパネル１０９の内部側に配置される。基部フロントパネル１０９の外部側に配置される二対のローラ対１１０は、それぞれ、外側ローラフレーム１１７の上下に回転自在に取り付けられた一対のローラＲである。基部フロントパネル１０９の内側に配置される一対のローラ対１１０は、内側ローラフレーム１１８の左右に回転自在に取り付けられた一対のローラＲである。そして、外側ローラフレーム１１７は、主フレーム１１６の上下幅と同一寸法の上下幅を有する接合部１１９を有し、この接合部１１９を接合させて主フレーム１１６に固定されている。また、内側ローラフレーム１１８は、円筒状の連結筒１２０を介して主フレーム１１６に固定されている。連結筒１２０は、基部フロントパネル１０９に形成された長孔１０８を通り、基部フロントパネル１０９の外側においては主フレーム１１６に連結固定され、基部フロントパネル１０９の内側においては内側ローラフレーム１１８に連結固定される。そして、主フレーム１１６に対する外側ローラフレーム１１７及び内側ローラフレーム１１８の固定は、一例としてネジ止めによってなされる。そのために、それらの主フレーム１１６、外側ローラフレーム１１７及び内側ローラフレーム１１８には、ネジ通しのためのネジ通し孔ＴＨが複数個形成されている。また、主フレーム１１６は、その両側が直角に屈曲形成され、この屈曲部分に昇降体１０４との間の連結固定片１２１を有している。昇降体１０４との間の連結固定も、一例としてネジ止めによってなされる。そこで、連結固定片１２１にも、複数個のネジ通し孔ＴＨが形成されている。
【００２４】
上記昇降機構１１１の構成において重要なことは、連結筒１２０の長さである。連結筒１２０の長さは、基部フロントパネル１０９の外側に配置されるローラ対１１０のローラＲと内側に配置されるローラ対１１０のローラＲとの間のクリアランスを決める。この点、図７に示すように、それらの基部フロントパネル１０９の内外のローラＲ間のクリアランスは、基部フロントパネル１０９の厚み分として規定されていなければならない。そこで、連結筒１２０は、基部フロントパネル１０９の内外のローラＲ間のクリアランスを基部フロントパネル１０９の厚み分とする長さに設定されている。
【００２５】
以上説明したように、昇降機構１１１は、昇降体１０４に一体的に固定され、基部フロントパネル１０９の内外で三対のローラ対１１０によって三点支持され、昇降体１０４を昇降自在に支持する。
【００２６】
図９は、昇降体１０４及び昇降機構１１１の縦断側面図、図１０は、昇降体１０４において表示媒体３１を保持する媒体保持筒１２２と昇降体１０４のフロントパネル１２３の裏面側との分解斜視図である。昇降体１０４は、表示媒体３１のバー３３を着脱自在に保持する構造として、媒体保持筒１２２を有している。媒体保持筒１２２は、表示媒体３１のバー３３を挿入可能な一端開口の筒状部材である。媒体保持筒１２２は、昇降体１０４の内部において、一対の外灯１０３の間の部分となる中央部分に配置されており（図７も参照のこと）、先端側を昇降体１０４のフロントパネル１２３に、後端側を昇降機構１１１の主フレーム１１６にそれぞれ支持されている。図１０に示すように、フロントパネル１２３においては、その裏面に媒体保持筒１２２が嵌合するアダプタ１２４が固定されており、媒体保持筒１２２はアダプタ１２４に嵌合して支持されている。そして、昇降体１０４のフロントパネル１２３及びアダプタ１２４とボトムパネル１２５、それに媒体保持筒１２２には、表示媒体３１を通すためのスリット１２３ａ、１２４ａ、１２５ａ、１２２ａが形成されており、全体として装着用スリット１２６を形成している。この装着用スリット１２６は、設置棒１０５を含む鉛直線上に位置付けられている（図２参照）。
【００２７】
媒体保持筒１２２の後端側は閉塞されており、ネジ通し孔ＴＨが形成されている。そして、図９に示すように、昇降機構１１１における主フレーム１１６と連結筒１２０と内側ローラフレーム１１８とをボルトＢと共に一体に結合させるための長ネジＬＳによって、それらの各部と共に連結固定されている。
【００２８】
そして、図２に示すように、昇降体１０４には、フロントパネル１２３、アダプタ１２４及び媒体保持筒１２２を通り、表示媒体３１のバー３３をフロントパネル１２３の前面から挿入するための媒体装着孔ＳＨが形成されている。
【００２９】
ここで、前述した設置棒１０５及びフックピン１０７は、媒体保持部３２を昇降体１０４の下方位置で基部１０２に着脱自在に保持させるという役割を担っている。また、媒体保持筒１２２、媒体装着孔ＳＨ及び装着用スリット１２６は、媒体保持部３２から引き出された表示媒体３１を昇降体１０４に着脱自在に保持させる役割を担っている。そこで、これらの設置棒１０５、フックピン１０７、媒体保持筒１２２及び装着用スリット１２６は、表示媒体３１及びこれを保持する媒体保持部３２を情報提供装置１０１にセットし保持するための媒体装着機構１２７を構成している。
【００３０】
このような構成において、本実施の形態の情報提供装置１０１によれば、媒体保持部３２を設置棒１０５及びフックピン１０７にセットし、表示媒体３１のバー３３を昇降体１０４の媒体装着孔ＳＨに差し込んでセットし、錠部１０６にハンドル５１を取り付けて回転操作すれば、昇降体１０４が上昇し、表示媒体３１に描かれている提供情報Ｉを表示するこができる。また、昇降体１０４が上昇位置に位置して表示媒体３１に描かれている提供情報Ｉが表示されている状態で錠部１０６にハンドル５１を取り付けて回転操作すれば、昇降体１０４を下降させて媒体保持部３２を表示媒体３１と共に入れ替えることができ、あるいは外灯１０３のメンテナンスをすることもできる。
【００３１】
このように、本実施の形態の情報提供装置１０１及び情報提供方法によれば、昇降体１０４の昇降に応じて外灯１０３を上げ下げすることができ、これに伴い表示媒体３１の設置作業と撤去作業とを行なうことができる。つまり、昇降体１０４の昇降という一つのアクションによって、外灯１０３の昇降と表示媒体３１の昇降という二つの結果を同時に引き起こすことができる。これにより、それらの二種類の動作に互いの干渉を生じさせることなく、表示媒体３１と外灯１０３とを共に昇降させることがでる。
【００３２】
また、表示媒体３１及びこれを保持する媒体保持部３２は、従来の金属製の広告看板やディスプレイ広告のように重量物であったり大掛かりなものであったりしない。このため、本実施の形態の情報提供装置１０１及び情報提供方法によれば、昇降体１０４を昇降させることで容易に表示媒体３１を設置することができ、また、一旦設置された表示媒体３１を媒体保持部３２と共に容易に入れ替えることができる。これにより、表示媒体３１が表示する提供情報Ｉを頻繁に変更したいという要望にも、たやすく応えることができる。
【００３３】
また、媒体保持部３２の巻戻し部３４には巻戻し機構が仕組まれているため、表示媒体３１を保持している昇降体１０４を下降させると、これに合せて表示媒体３１が媒体保持部３２に巻き戻される。したがって、表示媒体３１の撤去作業が極めて容易となる。
【００３４】
更に、本実施の形態の情報提供装置１０１及び情報提供方法によれば、外灯１０３を有する昇降体１０４を昇降させるに際して、基部１０２の側の錠部１０６に適合する鍵部５２を有するハンドル５１を必要とする。このため、ハンドル５１の管理をしっかり行なっていれば、セキュリティ性が高く、愉快犯による犯罪等を防止し抑制することができる。
【００３５】
加えて、本実施の形態の情報提供装置１０１の構造上、外灯１０３は表示媒体３１が表示する提供情報Ｉの直ぐ真上に位置付けられる。これにより、外灯１０３を点灯させる時間になると、提供情報Ｉは外灯１０３の光に照らされ、その視認性が高まるばかりか、照明による提供情報Ｉの演出効果も得られる。
【００３６】
以上説明したように、本実施の形態の情報提供装置１０１及び情報提供方法は、従来にない極めてユニークな装置及び方法であり、多大な社会的貢献をもたらすものである。
【００３７】
（第２の実施の形態）
第２の実施の形態を図１１ないし図１３に基づいて説明する。第１の実施の形態と同一部分は同一符号で示し説明も省略する。
【００３８】
図１１は、一対の保護パネル３０１が保護位置ＰＰに位置する状態での情報提供装置１０１の外観を示す斜視図である。図１２は、一対の保護パネル３０１が退避位置ＥＰに位置する状態での情報提供装置１０１の外観を示す斜視図である。図１３は、一対の保護パネル３０１が保護位置ＰＰに位置して表示媒体３１を挟持し覆っている状態での情報提供装置１０１の外観を示す斜視図である。
【００３９】
本実施の形態の情報提供装置１０１は、昇降体１０４と設置棒１０５に保持された媒体保持部３２との間の位置である情報提供位置に位置付けられた表示媒体３１を保護するために、一対の保護パネル３０１を有している。これらの保護パネル３０１は、情報提供位置に位置する表示媒体３１をその両側から挟み込む構造のもので、表示媒体３１に描かれている提供情報Ｉの視認性を妨げないように透光性を有している。一例として、保護パネル３０１は、透光性を有する樹脂パネルによって形成されている。そして、保護パネル３０１の寸法は、設置棒１０５に装着される媒体保持部３２の上部高さよりも高く、上昇位置に位置付けられる昇降体１０４の下部高さよりも低くなる寸法に設定されている。
【００４０】
また、保護パネル３０１は、昇降する昇降体１０４に干渉しないよう、表示媒体３１を挟持して覆う保護位置ＰＰ（図１１、図１３参照）と、昇降体１０４の昇降軌跡に干渉しない退避位置ＥＰ（図１２参照）との間を移動自在である。そのための構造として、一対の保護パネル３０１は、基部１０２の両側縁部に取り付けられた複数個のヒンジ３０２から情報提供位置の方向に延出する支持アーム３０３に取り付けられて支持されている。これにより、保護パネル３０１と支持アーム３０３とは直角をなし、ヒンジ３０２を中心に回転した支持アーム３０３が基部１０２のフロント面に接する位置では保護パネル３０１は保護位置ＰＰに位置付けられ（図１１、図１３参照）、その位置から支持アーム３０３が９０度回転すると保護パネル３０１は退避位置ＥＰに位置付けられる（図１２参照）。
【００４１】
更に、一方の保護パネル３０１は、その縁部に沿って複数個のマグネット３０４を備え、もう一方の保護パネル３０１は、その縁部に沿って金属片３０５を備える。マグネット３０４と金属片３０５とは互いに接合する位置に配置されている。これにより、一対の保護パネル３０１が保護位置ＰＰに位置付けられると、マグネット３０４が金属片３０５に磁気的に吸着し、一対の保護パネル３０１の位置は確実に保護位置ＰＰに維持される。
【００４２】
このような構成において、昇降体１０４を昇降させようとする場合には、一対の保護パネル３０１を開いて退避位置ＥＰに位置付ける。これにより、保護パネル３０１に干渉することなく昇降体１０４を昇降させることが可能となる。そして、昇降体１０４を上昇位置まで上昇させたならば、一対の保護パネル３０１を閉じて保護位置ＰＰに位置付ける。これにより、情報提供位置に位置付けられた表示媒体３１が一対の保護パネル３０１に挟持され、表示媒体３１を風雨から保護することができる。
【００４３】
（第３の実施の形態）
第３の実施の形態を図１４ないし図２２に基づいて説明する。第１の実施の形態及び第２の実施の形態と同一部分は同一符号で示し説明も省略する。
【００４４】
図１４は、情報提供装置１０１の外観を示す斜視図である。本実施の形態の情報提供装置１０１は、基本的には第２の実施の形態の情報提供装置１０１と同様な外観を有している。外観上相違するのは、基部１０２の上部にスピーカ１３１が取り付けられている点と、基部１０２の左側面に操作パネル蓋１３２が開閉自在に取り付けられている点との二点である。操作パネル蓋１３２は、錠部１０６の直ぐ上方に位置付けられ、蓋錠部１３３でロックされている。操作パネル蓋１３２を開くには、蓋錠部１３３に適合する蓋鍵部（図示せず）が必要である。蓋鍵部は、ハンドル５１と同様に、管理者が保管して厳重に管理することが望ましい。
【００４５】
図１５は、昇降体１０４及び昇降機構１１１の縦断側面図である。昇降体１０４は、媒体保持筒１２２を回転自在に支持している。そのための構造として、昇降体１０４は、媒体保持筒１２２の先端部分をアダプタ１２４によって回転自在に支持し、その後方部分をホルダ１４１によって回転自在に支持している。そして、媒体保持筒１２２のホルダ１４１よりも先端側にはＥリング１４２が装着されている。これにより、媒体保持筒１２２がその軸方向へ変位しないようにされている。
【００４６】
昇降体１０４は、回転自在に支持した媒体保持筒１２２を回転駆動するための巻回機構１４３を内蔵している。この巻回機構１４３は、減速機構１４４を介して、アクチュエータとしてのモータＭの回転駆動力を媒体保持筒１２２に伝達するための機構である。減速機構１４４は、歯車列によって形成され、モータＭの回転数を減速して媒体保持筒１２２に伝達する。媒体保持筒１２２には、減速機構１４４の一部をなす従動ギア１４５が固定されている。
【００４７】
図１５中には図示しないが、昇降体１０４には、媒体保持筒１２２の回転位置を検出するための位置センサＳ（図１６参照）が組み込まれている。昇降体１０４においては、表示媒体３１のバー３３を媒体装着孔ＳＨに挿入して装着するに際して、媒体保持筒１２２に形成されているスリット１２２ａが必ず真下を向いていなければならない。位置センサＳは、媒体保持筒１２２のスリット１２２ａが真下を向いているかどうかを検出するセンサである。一例として、位置センサＳとして反射型光電センサを用い、媒体保持筒１２２にはそのスリット１２２ａが真下を向いた場合に反射型光電センサに反応を生じさせるマークを印しておく。マークは、通常よりも反射率が高くなるもの、あるいは反対に反射率が低くなるものを用いることができる。
【００４８】
本実施の形態では、こうして媒体保持筒１２２を回転駆動することによって、媒体保持筒１２２にバー３３がセットされている表示媒体３１が巻き取られ、あるいは巻き戻され、表示媒体３１中の所望の提供情報領域ＩＡを昇降体１０４の直下に出現させることが可能となる。
【００４９】
図１６は、各部の電気的接続を示すブロック図である。情報提供装置１０１は、基部１０２に制御回路１５１を内蔵している。制御回路１５１は、情報処理を実行して各部を集中的に制御する制御部１５２を主体として、この制御部１５２に、メモリ１５３、時計回路１５４、モータ駆動回路１５５、操作パネル１５６、及び音声合成回路１５７が接続されて構成されている。
【００５０】
制御部１５２は、一例として、予め決められたシーケンスを実行する回路が印刷された半導体チップによって構成されている。もっとも、情報処理機能を有していれば、そのような半導体チップ構成のものでなくても良い。
【００５１】
メモリ１５３は、制御部１５２と共に１チップ化されていても、制御部１５２とは別体で用意されたものであっても良い。メモリ１５３は、各種登録内容を記憶保存する。
【００５２】
時計回路１５４は、現在時刻を計時するために用いられる。現在時刻の計時は、制御部１５２が水晶発信器（図示せず）を有しているならば、これを利用して構成されていても良い。
【００５３】
モータ駆動回路１５５は、媒体保持筒１２２を回転駆動するためのモータＭを駆動するための回路である。また、本実施の形態では、モータ駆動回路１５５に、位置センサＳの出力を取り込むための回路が組み込まれている。
【００５４】
操作パネル１５６は、操作パネル蓋１３２を開くことによって出現する。操作パネル１５６には、表示機能を有するＬＣＤ１５８と入力部１５９とが含まれている。
【００５５】
音声合成回路１５７は、音声データに基づいて音声を合成する音声合成ＬＳＩを含み、音声合成ＬＳＩの出力をアナログ信号に変換して増幅し、スピーカ１３１から音声発生させる回路である。
【００５６】
図１７は、操作パネル１５６をそのＬＣＤ１５８の初期表示例と共に示す正面図である。操作パネル１５６は、入力部１５９として、実行キー（Ｅｎｔｅｒ）を含むテンキー１５９ａと選択キー１５９ｂとを有している。制御部１５２は、操作パネル１５６が有するＬＣＤ１５８の初期画面表示として、「設定」、「設置／変更」、「運用開始」というメニュー表示を表示させる。
【００５７】
図１８は、表示媒体３１を全て引き出した状態の一例を示す媒体保持部３２及び表示媒体３１の正面図である。本実施の形態では、表示媒体３１に複数の提供情報領域ＩＡが予め用意されている。図１８に示す一例では、９個の提供情報領域ＩＡが用意されている。
【００５８】
図１９は、メモリ１５３に登録されている対応関係定義ＲＤとこの対応関係定義ＲＤに従い提供される提供情報Ｉとの対応関係を例示する模式図である。対応関係定義ＲＤは、表示媒体３１の長手方向に沿って配列された提供情報Ｉを含む複数の提供情報領域ＩＡと提供期間との間の対応関係を定義するデータである。このような対応関係定義ＲＤは、操作パネル１５６からの入力によってメモリ１５３に書き換え自在に登録可能である。
【００５９】
図１９に示す一例では、対応関係定義ＲＤに、提供期間として１時間毎の時間帯が定義され、
０時〜  ７時の時間帯は１番の提供情報領域ＩＡ
７時〜  ９時の時間帯は２番の提供情報領域ＩＡ
９時〜１１時の時間帯は４番の提供情報領域ＩＡ
１１時〜１３時の時間帯は５番の提供情報領域ＩＡ
１３時〜１４時の時間帯は６番の提供情報領域ＩＡ
１４時〜１６時の時間帯は３番の提供情報領域ＩＡ
１６時〜１７時の時間帯は５番の提供情報領域ＩＡ
１７時〜１８時の時間帯はデフォルト値
１８時〜２０時の時間帯は７番の提供情報領域ＩＡ
２０時〜２２時の時間帯は８番の提供情報領域ＩＡ
２２時〜２４時の時間帯はデフォルト値
がそれぞれ登録されている。そして、図１９は、デフォルト値〜８番までの９個の提供情報領域ＩＡに描かれている提供情報Ｉをそれぞれ例示している。
【００６０】
デフォルトの提供情報領域ＩＡに描かれている提供情報Ｉは、一例として一色無地である。この提供情報Ｉについては、街の美観上の観点、交通安全上の観点等、個々の地域に即した様々な観点から表示内容を決めれば良い。なお、たとえ白一色の表示内容であったとしても、それが表示されると見る者に何らかの内的変化が生ずる。例えば、ある者は牛乳を思い出すかもしれないし、別の者はチーズケーキの匂いを直感するかもしれない。更に別の者は、意識化において何も感じずとも、無意識下において清浄感を感ずるかもしれない。つまり、白一色の表示内容であっても、その表示内容は見る者に何らかの情報を伝達していることになる。したがって、ここでは、デフォルトの提供情報領域ＩＡにも提供情報Ｉが示されている、更にいうと提供情報Ｉが描かれていると捉える。
【００６１】
１番の提供情報領域ＩＡに描かれている提供情報Ｉは、夜間早朝の交通安全を呼びかけている。本例の場合、夜間早朝の時間帯である０時〜７時の時間帯に１番の提供情報領域ＩＡが登録されている。
【００６２】
２番の提供情報領域ＩＡに描かれている提供情報Ｉは、スクールゾーンであることを通行禁止時間と共に示している。本例の場合、学童の通学時間に前後余裕を見た７時〜９時の時間帯に２番の提供情報領域ＩＡが登録されている。
【００６３】
３番の提供情報領域ＩＡに描かれている提供情報Ｉは、監視カメラで監視中であることを示している。本例の場合、学童の帰宅時間である１４時〜１６時の時間帯に３番の提供情報領域ＩＡが登録されている。
【００６４】
４番の提供情報領域ＩＡに描かれている提供情報Ｉは、クリーニング店の宣伝広告である。本例の場合、例えば未就学児童を保育園や幼稚園に送っていった母親の目に留まりやすい９時〜１１時の時間帯に４番の提供情報領域ＩＡが登録されている。
【００６５】
５番の提供情報領域ＩＡに描かれている提供情報Ｉは、スーパーマーケットの宣伝広告である。本例の場合、スーパーマーケットでの買い物需要が高まるお昼前後の１１時〜１３時の時間帯と夕方の１６時〜１７時の時間帯に５番の提供情報領域ＩＡが登録されている。
【００６６】
６番の提供情報領域ＩＡに描かれている提供情報Ｉは、電気店の宣伝広告である。本例の場合、１３時〜１４時の時間帯に６番の提供情報領域ＩＡが登録されている。
【００６７】
７番の提供情報領域ＩＡに描かれている提供情報Ｉは、レストランの宣伝広告である。本例の場合、レストラン探しの需要が高まる１８時〜２０時の時間帯に７番の提供情報領域ＩＡが登録されている。
【００６８】
８番の提供情報領域ＩＡに描かれている提供情報Ｉは、ワインバーの宣伝広告である。本例の場合、酒場探しの需要が高まる２０時〜２２時の時間帯に８番の提供情報領域ＩＡが登録されている。
【００６９】
以上、図１９が例示している対応関係定義ＲＤが定義する提供情報Ｉの例を説明した。この説明からも明らかなように、提供情報Ｉには、例えば４番〜８番のような純粋に商業的な営利広告もあれば、１番〜３番のような地域情報も含まれている。一般的に、営利広告の広告主は、民間企業、地元商店、民間人等である。地域情報の掲載主は、地元の警察署、交通安全協会、ＰＴＡ等、程度の差こそあれ公益性を有している団体である。しかも、例示した１番〜３番の地域情報は、地域の安全に関する安全情報である。このようなことから、営利広告の場合、空いている時間帯を自由に購入できるようにすれば良いのに対して、１番〜３番のような地域情報の場合、タイムリーな時間帯が存在するので、営利広告に優先させることが望ましい。
【００７０】
なお、地域の安全に関する安全情報としては、災害の場合の非難情報、道路の使用を一時的に制限する道路工事情報、停電を呼びかけたり頭上で作業をしていることを知らせたりする電気工事情報等、各種の情報を提供情報領域ＩＡに描く提供情報Ｉとすることができる。
【００７１】
ここで注意すべきは、メモリ１５３に登録されている対応関係定義ＲＤが定義しているのは、表示媒体３１における提供情報領域ＩＡとその提供期間との間の対応関係である、ということである。つまり、対応関係定義ＲＤは、提供情報領域ＩＡに描かれている提供情報Ｉそのものについては、一切の定義をしていない。提供情報領域ＩＡとそこに描かれている提供情報Ｉとは、個々の表示媒体３１及びこれを保持する媒体保持部３２毎に異なっている。したがって、運用上、媒体保持部３２に保持される表示媒体３１にどのような提供情報Ｉが描かれるのかが決まってから対応関係定義ＲＤを登録するか、あるいは反対に、個々の情報提供装置１０１毎に予め登録されている対応関係定義ＲＤに従い表示媒体３１に描く提供情報Ｉを決めることになる。一般的には、前者の運用を採用することが好ましい。
【００７２】
加えて、対応関係定義ＲＤには、時間帯毎に音声報知データの識別コードを登録しておくようにしても良い。この場合、制御部１５２は、数種類の音声報知データを予め用意し、識別コードを付してメモリ１５３等に登録しておく。一例として、
音声情報１番  「スクールゾーンです。車の通行はできません。」
音声情報２番  「学童が通学中です。地域の方は安全確保にご協力下さい。」
音声情報３番  「監視カメラでビデオ映像記録中です。」
音声情報４番  「不審者を見たら直ぐに１１０番。警察官が直ぐに伺います。」
等の音声報知データを登録しておく。そこで、対応関係定義ＲＤには、例えば２番の提供情報領域ＩＡに描かれている提供情報Ｉに合せて、７時〜９時の時間帯に音声情報１番又は音声情報２番を登録しておく。あるいは、対応関係定義ＲＤに、３番の提供情報領域ＩＡに描かれている提供情報Ｉに合せて、１４時〜１６時の時間帯に音声情報３番又は音声情報４番を登録しておく。制御部１５２は、対応関係定義ＲＤに音声情報の識別コードが登録されている場合、その時間帯になったら、メモリ１５３等に予め登録している対応する識別コードの音声報知データを定期的に音声合成回路１５７に入力し、その音声報知データに応じた合成音声をスピーカ１３１から出力するようにする。
【００７３】
図２０は、制御部１５２が実行する表示媒体設定処理の流れを示すフローチャートである。この処理は、対応関係定義ＲＤを生成するための処理である。まず、蓋錠部１３３に適合する鍵（図示せず）で操作パネル蓋１３２を開き、操作パネル１５６を使用できる状態にしたら、初期画面としてＬＣＤ１５８に表示されている「設定」、「設置／変更」、「運用開始」というメニューから「設定」を選択する。この選択は、選択キー１５９ｂとテンキー１５９ａに含まれている実行キー（Ｅｎｔｅｒ）で行なう。この操作がなされると、制御部１５２は、設定の選択を判定し（ステップＳ１０１のＹ）、時間帯選択画面をＬＣＤ１５８に表示する（ステップＳ１０２）。時間帯選択画面は、一例として、テンキー１５９ａを用いて時間帯の選択指定を可能とする画面である。そこで、制御部１５２は、時間帯の入力を判定したら（ステップＳ１０３のＹ）、入力済みの時間をメモリ１５３にレジストし（ステップＳ１０４）、番号選択画面をＬＣＤ１５８に表示する（ステップＳ１０５）。番号選択画面は、一例として、テンキー１５９ａを用いて提供情報領域ＩＡの番号の選択指定を可能とする画面である。そこで、制御部１５２は、提供情報領域ＩＡの番号の入力を判定したら（ステップＳ１０６のＹ）、ステップＳ１０４でレジストした既選択の時間帯に対応付けて入力済みである提供情報領域ＩＡの番号をメモリ１５３にレジストする（ステップＳ１０７）。その後、テンキー１５９ａに含まれている実行キー（Ｅｎｔｅｒ）の押下を判定したら（ステップＳ１０８のＹ）、時間帯及び提供情報領域ＩＡの番号のレジストデータを確定登録する（ステップＳ１０９）。そして、次選択があれば（ステップＳ１１０のＹ）、ステップＳ１０２の処理にリターンし、なければ処理を終了する（ステップＳ１１０のＮ）。
【００７４】
こうして、対応関係定義ＲＤを生成し、メモリ１５３に登録することができる。
【００７５】
図２１は、制御部１５２が実行する表示媒体設置変更処理の流れを示すフローチャートである。この処理は、表示媒体３１が設置されていない情報提供装置１０１に表示媒体３１を設置するか、あるいは既に設置されている表示媒体３１を変更する場合に実行すべき処理である。まず、蓋錠部１３３に適合する鍵（図示せず）で操作パネル蓋１３２を開き、操作パネル１５６を使用できる状態にしたら、初期画面としてＬＣＤ１５８に表示されている「設定」、「設置／変更」、「運用開始」というメニューから「設置／変更」を選択する。この選択は、選択キー１５９ｂとテンキー１５９ａに含まれている実行キー（Ｅｎｔｅｒ）で行なう。この操作がなされると、制御部１５２は、設置／変更の選択を判定し（ステップＳ１１１のＹ）、媒体保持筒１２２が初期位置に位置付けられるようにモータＭを駆動制御する（ステップＳ１１２）。これにより、モータＭの回転駆動力が減速機構１４４を介して媒体保持筒１２２に伝達され、媒体保持筒１２２が回転する。この際、媒体保持筒１２２に既に表示媒体３１がセットされている場合には、バー３３に最も近い提供情報領域ＩＡを出現表示するようにモータＭを駆動制御する（ステップＳ１１２）。そして、初期位置に位置付けられた媒体保持筒１２２においては、そのスリット１２２ａが真下を向いた状態となる。この位置は、位置センサＳの出力によって判定可能である。その後、制御部１５２は、メモリ１５３をクリアし（ステップＳ１１３）、処理を終了する。ステップＳ１１３のメモリクリアによって、メモリ１５３に登録されていた対応関係定義ＲＤが消去され、次にセットする表示媒体３１の提供情報領域ＩＡに合せた内容の登録が可能となる。
【００７６】
この状態で錠部１０６にハンドルをセットして回転操作による昇降体１０４を下降させれば、既に設置されている表示媒体３１を媒体保持部３２と共に容易に取り除くことができるし、新規の表示媒体３１も媒体保持部３２と共に容易に装着することができる。
【００７７】
図２２は、制御部１５２が実行する運用開始処理の流れを示すフローチャートである。この処理は、表示媒体３１を媒体保持部３２と共に情報提供装置１０１に設置した後、対応関係定義ＲＤに従い提供情報領域ＩＡを適宜切り替えていく処理である。まず、蓋錠部１３３に適合する鍵（図示せず）で操作パネル蓋１３２を開き、操作パネル１５６を使用できる状態にしたら、初期画面としてＬＣＤ１５８に表示されている「設定」、「設置／変更」、「運用開始」というメニューから「運用開始」を選択する。この選択は、選択キー１５９ｂとテンキー１５９ａに含まれている実行キー（Ｅｎｔｅｒ）で行なう。この操作がなされると、制御部１５２は、運用開始の選択を判定し（ステップＳ１２１のＹ）、現在の提供情報領域ＩＡの番号をＮＵＬＬに設定する（ステップＳ１２２）。現在の提供情報領域ＩＡの番号というのは、現在出現させている提供情報領域ＩＡの番号を意味している。その後、制御部１５２は、時計回路１５４の計時機能を利用して現在の時刻を含む時間帯を算出する（ステップＳ１２３）。この場合の時間帯は、例えば１時間単位である。そして、制御部１５２は、メモリ１５３に登録されている対応関係定義ＲＤを検索し、算出した時間帯に提供情報領域ＩＡの番号が登録されているかどうか判定する（ステップＳ１２４）。この判定の結果、登録があれば（ステップＳ１２４のＹ）、現在の提供情報領域ＩＡの番号が対応関係定義ＲＤに設定登録されている番号であるかどうかの判定に移り（ステップＳ１２５）、登録がなければ（ステップＳ１２４のＮ）、モータＭを駆動してデフォルト媒体を出現表示させる（ステップＳ１２６）。
【００７８】
説明を補足する。ステップＳ１２４での判定の結果、対応関係定義ＲＤに提供情報領域ＩＡの番号の登録があるというのは、図１９中の１７時〜１８時の時間帯及び２２時〜２４時の時間帯以外の時間帯の状態である。これに対して、ステップＳ１２４での判定の結果、対応関係定義ＲＤに提供情報領域ＩＡの番号の登録がないというのは、図１９中の１７時〜１８時の時間帯及び２２時〜２４時の時間帯の状態である。提供情報領域ＩＡの番号の登録があれば、その提供情報領域ＩＡを出現させることになるわけであるが、この際、既にその提供情報領域ＩＡが出現していれば、更にモータＭを駆動してその提供情報領域ＩＡを出現させる必要がない。これを見ているのが、ステップＳ１２５の処理である。これに対して、提供情報領域ＩＡの番号の登録がなければ、モータＭを駆動してデフォルト媒体を出現表示させることになる（ステップＳ１２６）。ここでいうデフォルト媒体というのは、デフォルトの提供情報領域ＩＡ、図１９に示す例では、最も左側に位置する提供情報領域ＩＡである。図１９にも示されているように、ステップＳ１２３で現在時刻が１７時〜１８時の時間帯か２２時〜２４時の時間帯であると判定された場合、ステップＳ１２４で提供情報領域ＩＡの番号の登録がないと判定されるので（ステップＳ１２４のＮ）、この場合にはモータＭを駆動してデフォルト媒体である図１９中の最も左側に位置するデフォルトの提供情報領域ＩＡを表示する。もっとも、既にデフォルト媒体が表示されている場合には、更にモータＭを駆動してデフォルト媒体を出現させる必要がないので、この場合にはモータＭの駆動はなされない。省略しているが、ステップＳ１２６にはこのような処理内容も含まれている。
【００７９】
ステップＳ１２５の説明に戻る。制御部１５２は、現在の提供情報領域ＩＡの番号が対応関係定義ＲＤに設定されている番号と一致するかどうかの判定の結果、一致すると判定した場合には（ステップＳ１２５のＹ）、ステップＳ１２３の処理にリターンする。これにより、ステップＳ１２３〜ステップＳ１２５までの処理が繰り返される。この状態は、図１９に示す例で説明すると、例えば１番の提供情報領域ＩＡを出現させている０時〜７時の時間帯、ステップＳ１２５では必ず一致判定がなされ（ステップＳ１２５のＹ）、ステップＳ１２３〜ステップＳ１２５までの処理が繰り返し実行されることになる。これに対して、ステップＳ１２５で一致しないと判定した場合には（ステップＳ１２５のＮ）、モータＭを駆動して対応関係定義ＲＤに設定されている番号の提供情報領域ＩＡを出現させる（ステップＳ１２７）。この状態は、図１９に示す例で説明すると、例えば、直前ルーチンでのステップＳ１２３での算出が６時〜７時の時間帯であった場合にステップＳ１２３で７時〜８時の時間帯を初めて算出したような状態である。この場合、対応関係定義ＲＤで定義されている提供情報領域ＩＡの番号は１番から２番に変わっているので、制御部１５２は、現在の提供情報領域ＩＡの番号が対応関係定義ＲＤに設定されている番号と一致しないと判定することになる（ステップＳ１２５のＮ）。そこで、この場合、制御部１５２は、ステップＳ１２７の処理でモータＭを駆動制御し、対応関係定義ＲＤに設定されている２番の提供情報領域ＩＡを昇降体１０４の直下に出現させる。こうして、対応関係定義ＲＤに定義されている通りの提供情報領域ＩＡを出現させて表示することが可能となる。
【００８０】
制御部１５２は、ステップＳ１２７の処理の後、現在の提供情報領域ＩＡの番号を対応関係定義ＲＤに登録されている番号に設定し（ステップＳ１２８）、ステップＳ１２３の処理にリターンする。こうして、情報提供装置１０１では、常に、対応関係定義ＲＤに定義されている通りの提供情報領域ＩＡが昇降体１０４の直下に出現し表示されることになる。
【００８１】
以上説明したように、本実施の形態の情報提供装置１０１によれば、人手を介することなく、対応関係定義ＲＤに定義されている通りの提供情報領域ＩＡを昇降体１０４の直下に出現させて表示することができる。この場合、対応関係定義ＲＤでの定義如何によっては、図１９に例示するような数時間毎というスパンのみならず、分単位でも、極端には秒単位でも提供情報Ｉの内容を変更することが可能である。したがって、提供情報Ｉの内容を頻繁に変更したいという要望に十分に応えることができる。
【００８２】
また、前述したように、制御部１５２は、提供情報領域ＩＡに描かれている提供情報Ｉに合せて音声合成回路１５７によってスピーカ１３１から音声報知を出力することができる。この際、とりわけ地域の安全に関する安全情報を表示媒体３１による提供情報Ｉとして出現させ表示している際における音声報知の併用は、表示媒体３１による視覚的な情報報知効果をより一層効果的にすることができる。
【符号の説明】
【００８３】
１１    電柱
３１    表示媒体
３２    媒体保持部
５１    ハンドル
５２    鍵部
１０２    基部
１０３    外灯（ＬＥＤ照明装置）
１０４    昇降体
１０６    錠部
１１１    昇降機構
１１２    動力変換機構
１１４ａ  下部支軸（受動部）
１２７    媒体装着機構
１４３    巻回機構
１５２    制御部
１５３    メモリ
３０１    保護パネル
Ｉ    提供情報
ＩＡ    提供情報領域
ＰＰ    保護位置
ＥＰ    退避位置
Ｍ    モータ（アクチュエータ）
ＲＤ    対応関係定義
【図１】
2011081095.tif 000003
【図２】
2011081095.tif 000004
【図３】
2011081095.tif 000005
【図４】
2011081095.tif 000006
【図５】
2011081095.tif 000007
【図６】
2011081095.tif 000008
【図７】
2011081095.tif 000009
【図８】
2011081095.tif 000010
【図９】
2011081095.tif 000011
【図１０】
2011081095.tif 000012
【図１１】
2011081095.tif 000013
【図１２】
2011081095.tif 000014
【図１３】
2011081095.tif 000015
【図１４】
2011081095.tif 000016
【図１５】
2011081095.tif 000017
【図１６】
2011081095.tif 000018
【図１７】
2011081095.tif 000019
【図１８】
2011081095.tif 000020
【図１９】
2011081095.tif 000021
【図２０】
2011081095.tif 000022
【図２１】
2011081095.tif 000023
【図２２】
2011081095.tif 000024